(57)【要約】【課題】ガイドワイヤに沿ってカテーテルを体内へ導入する際における血液漏れの抑制を図ることができる止血用コネクタ、コネクタ付きカテーテル及びコネクタカテーテルキットを提供する。【解決手段】バルーンカテーテル１０は、カテーテルチューブと、その基端部に取り付けられたハブ１２とを備える。カテーテルチューブの内側チューブ１６は、ガイドワイヤＧを挿通可能な内側管孔１９を有し、その内側管孔１９はハブ１２の管孔２５ａと連通している。ハブ１２の基端側には止血用コネクタ３０が接続されている。止血用コネクタ３０は、管孔２５ａと連通する挿通通路５０を有している。止血用コネクタ３０は、複数のスリット４８が放射状に形成された止血弁３２を有している。これらのスリット４８が互いに連通するスリット連通部４９は挿通通路５０の一部を構成しており、その通路断面積が内側チューブ１６の内側管孔１９の断面積よりも小さくなっている。【選択図】      図２
2015023987.tif 000002
【特許請求の範囲】
【請求項１】
ガイドワイヤを挿通可能なガイドワイヤルーメンを有するカテーテルチューブと、
前記カテーテルチューブの基端部に設けられるとともに、前記ガイドワイヤルーメンと連通しかつ前記ガイドワイヤを挿通可能なハブ内通路を有するハブと、
を備えるカテーテルにおいて、前記ハブに接続した状態で用いられる止血用コネクタであって、
前記ハブの基端側に接続される接続部と、
前記ハブとの前記接続状態において前記ハブ内通路と連通しかつ前記ガイドワイヤを挿通可能な挿通通路と、を備え、
前記挿通通路は、その軸線方向における少なくとも一部が、前記ガイドワイヤルーメンよりも通路断面積が小さく絞られた絞り通路部とされていることを特徴とする止血用コネクタ。
【請求項２】
前記挿通通路は、前記軸線方向における一部が前記絞り通路部とされ、それ以外の部分が前記絞り通路部よりも通路断面積が拡張された拡張通路部とされていることを特徴とする請求項１に記載の止血用コネクタ。
【請求項３】
前記拡張通路部は、前記絞り通路部に対して前記ハブ内通路側に設けられ、当該ハブ内通路に連通していることを特徴とする請求項２に記載の止血用コネクタ。
【請求項４】
前記拡張通路部は、前記ハブ内通路側から前記絞り通路部側に向かうにつれて通路断面積が徐々に小さくなるように形成されたテーパ通路部を有していることを特徴とする請求項３に記載の止血用コネクタ。
【請求項５】
前記テーパ通路部は、前記絞り通路部に対して前記ハブ内通路側に連続して形成されており、
前記テーパ通路部と前記絞り通路部とは、互いの通路断面が両通路部の境界部にて連続していることを特徴とする請求項４に記載の止血用コネクタ。
【請求項６】
前記接続部を有する本体部と、
その本体部に設けられた板状の止血弁とを備え、
前記止血弁には、厚み方向に貫通するスリットが前記絞り通路部として形成されており、
前記本体部には、前記スリットと連通しかつ当該スリットととともに前記挿通通路を構成する本体通路部が形成されており、
前記ガイドワイヤが前記スリットに挿通された状態では、当該ガイドワイヤの外周面に前記止血弁のスリット内面が密接されることを特徴とする請求項１乃至５のいずれか一項に記載の止血用コネクタ。
【請求項７】
前記止血弁には、前記スリットが複数形成されており、
それら複数のスリットは、前記止血弁の厚み方向から見て当該止血弁の所定位置を起点として放射状に延びており、
前記所定位置は、前記各スリットが互いに連通するスリット連通部となっており、そのスリット連通部が前記絞り通路部とされており、
前記本体通路部は、前記スリット連通部と前記ハブ内通路とを連通する案内通路部を有しており、
前記案内通路部は、前記ハブ内通路側から前記スリット連通部側に向かうにつれて通路断面積が徐々に小さくなるように形成されていることを特徴とする請求項６に記載の止血用コネクタ。
【請求項８】
前記挿通通路を内部に有するとともに、当該挿通通路の軸線方向に延びる円柱状のボディを備え、
前記ボディは、前記軸線方向における一端側から他端側に向かうにつれて外径が小さくなるように形成されたテーパ部を有しており、
前記テーパ部は、ゴム材料からなり、前記他端側を挿し込み先端として前記ハブ内通路に基端側から挿し込まれることで接続される前記接続部となっていることを特徴とする請求項１乃至５のいずれか一項に記載の止血用コネクタ。
【請求項９】
前記ボディは、その全体が前記ゴム材料により形成されており、
前記ボディには、前記挿通通路の内周面から当該ボディの外周面にかけて切り込まれ、かつ前記挿通通路の軸線方向全域に亘って切り込まれた切り込み部が設けられていることを特徴とする請求項８に記載の止血用コネクタ。
【請求項１０】
前記カテーテルと、
前記ハブの基端側に接続された請求項１乃至９のいずれか一項に記載の止血用コネクタと、を備えるコネクタ付きカテーテル。
【請求項１１】
前記カテーテルと、
前記ハブの基端側に接続される請求項１乃至９のいずれか一項に記載の止血用コネクタと、を備えるコネクタカテーテルキット。
【発明の詳細な説明】
【技術分野】
【０００１】
本発明は、止血用コネクタ、コネクタ付きカテーテル及びコネクタカテーテルキットに関する。
【背景技術】
【０００２】
従来より、体内に導入されて用いられる医療用器具として、バルーンカテーテル等のカテーテルが知られている。カテーテルは、予め体内に導入されたガイドワイヤに沿わせて体内における治療対象箇所へと導入されるのが一般的である。この場合、カテーテルは、予め体内に導入された上記ガイドワイヤを内部に挿通させ、その挿通状態でガイドワイヤに沿って体内へと導入される。
【０００３】
ガイドワイヤの挿通方式としては、例えばオーバーザワイヤ方式が知られている（例えば特許文献１参照）。オーバーザワイヤ方式では、カテーテルとして、ガイドワイヤを挿通可能なルーメンを有するカテーテルチューブと、カテーテルチューブの基端部に取り付けられるとともに上記ルーメンと連通する内部通路を有するハブと、を備えたものが用いられる。この挿通方式では、ガイドワイヤがカテーテルチューブの先端開口を通じて同チューブのルーメンに導入されるとともに、ハブの内部通路を通じてカテーテル基端側に導出されることで、ガイドワイヤがカテーテルに挿通される。
【先行技術文献】
【特許文献】
【０００４】
【特許文献１】特開２０１１−２１２３８０号公報
【発明の概要】
【発明が解決しようとする課題】
【０００５】
ガイドワイヤには、外径の異なる複数種類のものが存在し、使用するカテーテル（詳しくはカテーテルチューブ）の径に応じて適切な外径のガイドワイヤが用いられる。具体的には、カテーテルチューブのルーメン径よりも若干小さい外径のガイドワイヤが用いられる。このため、ガイドワイヤをカテーテルチューブのルーメン内へ挿通した状態では、通常ガイドワイヤの外周面とルーメンの内周面との間の隙間は小さくなっている。したがって、ガイドワイヤの挿通状態でカテーテルを体内へ導入する際には、その隙間を通じて血液が基端側に流れにくくなっており、ひいては血液がハブの内部通路を通じて外部に漏れ出しにくくなっている。
【０００６】
ところで、ガイドワイヤは、その外径が異なれば、体内への挿通時における操作性能や使い勝手が異なってくるため、施術者にとってはできるだけ使い慣れた同じ外径のものを使用したいという要望があると考えられる。そのため、場合によっては、使用するカテーテルは比較的径の大きなものであるにもかかわらず、ガイドワイヤとしては外径の小さい使い慣れたものが用いられるといったことがありうると考えられる。その場合、ガイドワイヤの外周面とカテーテルチューブのルーメンの内周面との隙間が大きくなってしまうため、その隙間を通じて血液が基端側へと流れ易くなり、ハブの内部通路を通じて血液が外部に漏れ出し易くなることが懸念される。
【０００７】
本発明は、上記事情に鑑みてなされたものであり、ガイドワイヤに沿ってカテーテルを体内へ導入する際における血液漏れの抑制を図ることができる止血用コネクタ、コネクタ付きカテーテル及びコネクタカテーテルキットを提供することを主たる目的とするものである。
【課題を解決するための手段】
【０００８】
上記課題を解決すべく、第１の発明の止血用コネクタは、ガイドワイヤを挿通可能なガイドワイヤルーメンを有するカテーテルチューブと、前記カテーテルチューブの基端部に設けられるとともに、前記ガイドワイヤルーメンと連通しかつ前記ガイドワイヤを挿通可能なハブ内通路を有するハブと、を備えるカテーテルにおいて、前記ハブに接続した状態で用いられる止血用コネクタであって、前記ハブの基端側に接続される接続部と、前記ハブとの前記接続状態において前記ハブ内通路と連通しかつ前記ガイドワイヤを挿通可能な挿通通路と、を備え、前記挿通通路は、その軸線方向における少なくとも一部が、前記ガイドワイヤルーメンよりも通路断面積が小さく絞られた絞り通路部とされていることを特徴とする。
【０００９】
本発明によれば、カテーテルチューブの基端部に設けられたハブに対して止血用コネクタの接続部が接続され、その接続状態において止血用コネクタの挿通通路とハブのハブ内通路とが連通される。この場合、ガイドワイヤがカテーテルチューブの先端部よりガイドワイヤルーメンに導入されるとともにハブのハブ内通路と止血用コネクタの挿通通路とを通じて基端側へ導出されることで、ガイドワイヤがカテーテル内に挿通される。そして、その挿通状態でカテーテルがガイドワイヤに沿って体内へ導入される。
【００１０】
また、本発明によれば、挿通通路における軸線方向の少なくとも一部にガイドワイヤルーメンよりも通路断面積が小さく絞られた絞り通路部が設けられているため、その絞り通路部においてはガイドワイヤの外周面と挿通通路（すなわち絞り通路部）の内周面との間の隙間を極めて小さくすることができる又は隙間自体をなくすことができる。これにより、ガイドワイヤの外周面とガイドワイヤルーメンの内周面との隙間を通じて血液が基端側へ流れ易くなっている場合でも、絞り通路部においてその血液の流れを抑制又は防止することができるため、ガイドワイヤに沿ってカテーテルを体内へ導入する際における血液漏れの抑制又は防止を図ることができる。
【００１１】
第２の発明の止血用コネクタは、第１の発明において、前記挿通通路は、前記軸線方向における一部が前記絞り通路部とされ、それ以外の部分が前記絞り通路部よりも通路断面積が拡張された拡張通路部とされていることを特徴とする。
【００１２】
本発明によれば、挿通通路における軸線方向の一部が絞り通路部とされ、それ以外の部分が絞り通路部よりも通路断面積の大きい拡張通路部とされているため、挿通通路における軸線方向全域が絞り通路部とされている場合と比べて、カテーテルをガイドワイヤに沿って体内へ導入する際における、ガイドワイヤの外周面と挿通通路の内周面との間の摺動抵抗を低減させることができる。これにより、カテーテルの体内への導入作業をし易くすることができる。
【００１３】
第３の発明の止血用コネクタは、第２の発明において、前記拡張通路部は、前記絞り通路部に対して前記ハブ内通路側に設けられ、当該ハブ内通路に連通していることを特徴とする。
【００１４】
挿通通路において絞り通路部はその通路断面積が極めて小さいため、絞り通路部をハブ内通路に向けて開口する構成とすると、その開口よりガイドワイヤを挿通通路に導入する際、その導入作業が極めて困難になることが想定される。その点本発明によれば、挿通通路において拡張通路部がハブ内通路と連通されて、当該ハブ内通路に開口しているため、その開口からガイドワイヤを挿通通路に導入する作業をし易くすることができる。
【００１５】
第４の発明の止血用コネクタは、第３の発明において、前記拡張通路部は、前記ハブ内通路側から前記絞り通路部側に向かうにつれて通路断面積が徐々に小さくなるように形成されたテーパ通路部を有していることを特徴とする。
【００１６】
本発明によれば、拡張通路部に、ハブ内通路側から絞り通路部側に向かうにつれて通路断面積が徐々に小さくなるように形成されたテーパ通路部が設けられているため、ガイドワイヤを拡張通路部から絞り通路部へと押し進めていく際、ガイドワイヤを絞り通路部へ容易に導くことができる。これにより、ガイドワイヤの挿通通路への挿通作業を容易にすることができる。
【００１７】
第５の発明の止血用コネクタは、第４の発明において、前記テーパ通路部は、前記絞り通路部に対して前記ハブ内通路側に連続して形成されており、前記テーパ通路部と前記絞り通路部とは、互いの通路断面が両通路部の境界部にて連続していることを特徴とする。
【００１８】
本発明によれば、絞り通路部とテーパ通路部との境界部にて互いの通路断面が連続しているため、それら両通路部の境界部において互いの周面の間に段差が生じないようにすることができる。これにより、ガイドワイヤをテーパ通路部から絞り通路部へ導入する際に、ガイドワイヤが両通路部間の段差に引っ掛かって導入しづらくなるといった不都合を生じにくくすることができる。
【００１９】
第６の発明の止血用コネクタは、第１乃至第５のいずれかの発明において、前記接続部を有する本体部と、その本体部に設けられた板状の止血弁とを備え、前記止血弁には、厚み方向に貫通するスリットが前記絞り通路部として形成されており、前記本体部には、前記スリットと連通しかつ当該スリットととともに前記挿通通路を構成する本体通路部が形成されており、前記ガイドワイヤが前記スリットに挿通された状態では、当該ガイドワイヤの外周面に前記止血弁のスリット内面が密接されることを特徴とする。
【００２０】
本発明によれば、ガイドワイヤが止血弁のスリットに挿通され、その挿通状態においてガイドワイヤの外周面にスリット内面が密着されるため、ガイドワイヤの挿通状態における止血性能を高めることができる。また、絞り通路部をスリット構造とし、しかもそのスリット構造を止血弁の板状部分に形成したため、ガイドワイヤを絞り通路部（すなわちスリット）に押し込んで挿通させる際それ程大きな押し込み力を付与しなくても、スリットを押し拡げて挿通させることができる。これにより、極細状であるが故にその強度も小さいことが想定されるガイドワイヤであっても、比較的容易に密着状態での挿通を実現することが可能となる。
【００２１】
第７の発明の止血用コネクタは、第６の発明において、前記止血弁には、前記スリットが複数形成されており、それら複数のスリットは、前記止血弁の厚み方向から見て当該止血弁の所定位置を起点として放射状に延びており、前記所定位置は、前記各スリットが互いに連通するスリット連通部となっており、そのスリット連通部が前記絞り通路部とされており、前記本体通路部は、前記スリット連通部と前記ハブ内通路とを連通する案内通路部を有しており、前記案内通路部は、前記ハブ内通路側から前記スリット連通部側に向かうにつれて通路断面積が徐々に小さくなるように形成されていることを特徴とする。
【００２２】
本発明によれば、止血弁に複数のスリットがスリット連通部を起点として放射状に形成されており、そのスリット連通部にガイドワイヤが挿通されるようになっている。この場合、ガイドワイヤの挿通状態においてガイドワイヤの外周面における広い範囲にスリット内面を密着させることができるため、止血性能をより一層高めることができる。
【００２３】
また、本体部の本体通路部には、スリット連通部とハブ内通路とを連通する案内通路部が設けられ、その案内通路部はスリット連通部に向かうにつれて通路断面積が徐々に小さくなるように形成されているため、ガイドワイヤを挿通通路（スリット連通部及び本体通路部）に挿通する際、ガイドワイヤを局所的な部位であるスリット連通部へ容易に導くことが可能となる。
【００２４】
第８の発明の止血用コネクタは、第１乃至第５のいずれかの発明において、前記挿通通路を内部に有するとともに、当該挿通通路の軸線方向に延びる円柱状のボディを備え、前記ボディは、前記軸線方向における一端側から他端側に向かうにつれて外径が小さくなるように形成されたテーパ部を有しており、前記テーパ部は、ゴム材料からなり、その他端側を挿し込み先端として前記ハブ内通路に基端側から挿し込まれることで接続される前記接続部となっていることを特徴とする。
【００２５】
本発明によれば、ゴム材料よりなるテーパ部の他端側すなわち先細り側をハブの挿通通路に基端側から挿し込むだけで、止血用コネクタ（具体的にはテーパ部）をハブに対して接続することができる。これにより、止血用コネクタのハブへの接続を速やかに行うことができるため、カテーテルの体内への導入作業を迅速に行う上で都合がよい。
【００２６】
第９の発明の止血用コネクタは、第８の発明において、前記ボディは、その全体が前記ゴム材料により形成されており、前記ボディには、前記挿通通路の内周面から当該ボディの外周面にかけて切り込まれ、かつ前記挿通通路の軸線方向全域に亘って切り込まれた切り込み部が設けられていることを特徴とする。
【００２７】
本発明によれば、ボディに形成された切り込み部を通じてガイドワイヤを挿通通路にボディ側方から導入することができる。この場合、ガイドワイヤを挿通通路にその先端開口から導入する場合と比べて、ガイドワイヤを挿通通路に容易に導入することができる。
【００２８】
第１０の発明のコネクタ付きカテーテルは、前記カテーテルと、前記ハブの基端側に接続された第１乃至第９のいずれかの発明の止血用コネクタと、を備えることを特徴とする。
【００２９】
本発明によれば、第１乃至第９の発明と同様の効果を奏するコネクタ付きカテーテルを実現することができる。
【００３０】
第１１の発明のコネクタカテーテルキットは、前記カテーテルと、前記ハブの基端側に接続される第１乃至第９のいずれの発明の止血用コネクタと、を備えることを特徴とする。
【００３１】
本発明によれば、カテーテルのハブの基端側に止血用コネクタを接続することにより、第１乃至第９の発明と同様の効果を得ることができる。
【図面の簡単な説明】
【００３２】
【図１】第１の実施形態におけるバルーンカテーテルの構成を示す概略全体側面図。
【図２】ハブ周辺の構成を示す縦断面図。
【図３】止血用コネクタの構成を示しており、（ａ）が同構成を示す正面図、（ｂ）が軸線方向の一方側から見た図、（ｃ）が縦断面図、（ｄ）が分解縦断面図である。
【図４】第２の実施形態における止血用コネクタの構成を示しており、（ａ）が同構成を示す正面図、（ｂ）が軸線方向の一方側から見た図、（ｃ）が縦断面図である。
【図５】止血用コネクタがハブに取り付けられた状態を示す縦断面図。
【図６】止血弁のスリットの別形態を示す図。
【発明を実施するための形態】
【００３３】
〔第１の実施形態〕
以下に、本発明を具体化した一実施の形態について図面を参照しつつ説明する。本実施形態では、バルーンカテーテルのハブに対して取り付けられる止血用コネクタについて具体化している。図１は、バルーンカテーテルの構成を示す概略全体側面図である。
【００３４】
図１に示すように、バルーンカテーテル１０は、カテーテルチューブ１１と、カテーテルチューブ１１の基端部（近位端部）に取り付けられたハブ１２と、カテーテルチューブ１１の先端側（遠位端側）に取り付けられたバルーン１３とを備える。カテーテルチューブ１１は、外側チューブ１５と、その外側チューブ１５に内挿された内側チューブ１６とを備え、それら両チューブ１５，１６による二重管構造をなしている。
【００３５】
外側チューブ１５は、管状に形成されており、その内部に軸線方向全域に亘って延びる外側管孔１８（図２参照）を有している。外側チューブ１５は、基端側チューブ２２と、その基端側チューブ２２よりも先端側（遠位側）に設けられた先端側チューブ２３とを備え、それら両チューブ２２，２３が互いに接合されることにより構成されている。基端側チューブ２２は、ナイロンなどの樹脂材料により形成され、その基端部がハブ１２に対して接続されている。先端側チューブ２３は、基端側チューブ２２に比べて剛性の低い樹脂材料により形成され、その先端部がバルーン１３の基端部に対して接合されている。
【００３６】
外側チューブ１５の外側管孔１８はバルーン１３の内側空間に通じている。外側管孔１８は、バルーン１３を膨張又は収縮させる際に圧縮流体が流通する流体用ルーメンとなっており、この外側管孔１８を通じて圧縮流体が当該バルーン１３内に供給されるとバルーン１３が膨張状態となり、外側管孔１８に陰圧が付与されて圧縮流体がバルーン１３内から排出されるとバルーン１３が収縮状態となる。
【００３７】
内側チューブ１６は、樹脂材料により管状に形成されており、その内部に軸線方向全域に亘って延びる内側管孔１９（図２参照）を有している。内側チューブ１６は、その基端部がハブ１２に対して接続されている。また、内側チューブ１６は、外側チューブ１５よりも先端側に延出しており、その延出部分がバルーン１３により外側から覆われている。当該延出部分の先端部は、バルーン１３の先端部に接合されている。
【００３８】
内側チューブ１６の内側管孔１９は、ガイドワイヤＧが挿通されるガイドワイヤ用ルーメンとなっている。内側管孔１９は、バルーンカテーテル１０の先端から基端側へ向けてハブ１２まで延びている。つまり、本バルーンカテーテル１０は所謂オーバー・ザ・ワイヤ型のカテーテルとなっている。
【００３９】
また、本バルーンカテーテル１０では、内側チューブ１６の内側管孔１９の孔径Ｄ１が０．９５ｍｍに設定されている。この場合、ガイドワイヤＧとしては、その外径Ｄ２が０．８８９ｍｍ（０．０３５インチ）のものを用いることが適切であるが、本実施形態では、ガイドワイヤＧとしてそれよりも外径Ｄ２の小さいもの、具体的には外径Ｄ２が０．３５５６ｍｍ（０．０１４インチ）又は０．４５７２ｍｍ（０．０１８インチ）のものを用いることとしている。このため、内側管孔１９にガイドワイヤＧが挿通された状態において、ガイドワイヤＧの外周面と内側管孔１９の内周面との間に比較的大きな隙間が形成されるようになっている。
【００４０】
続いて、ハブ１２の構成について図２に基づいて説明する。図２はハブ周辺の構成を示す縦断面図である。
【００４１】
図２に示すように、ハブ１２は、ポリカーボネート等の合成樹脂材料によりＹ字状に形成されている。ハブ１２は、管状をなす第１管部２５と、第１管部２５の途中位置から分岐させて設けられ、管状をなす第２管部２６とを備える。第１管部２５は、その軸線方向全域に亘って延びるとともに両端にて開放された管孔２５ａを有している。管孔２５ａは、その途中位置において第２管部２６の管孔２６ａと連通している。なお、管孔２５ａがハブ内通路に相当する。
【００４２】
第１管部２５の管孔２５ａには、その先端側から外側チューブ１５と内側チューブ１６とが挿入されている。これら各チューブ１５，１６はそれぞれ、その挿入状態において第１管部２５と接合されている。外側チューブ１５の外側管孔１８は第１管部２５の管孔２５ａを介して第２管部２６の管孔２６ａと連通している。これにより、第２管部２６に加圧器等の流体供給機器（図示略）を接続することで、同機器より管孔２６ａ及び外側管孔１８を通じてバルーン１３内へ圧縮流体を供給することが可能となっている。
【００４３】
なお、第１管部２５の先端部には、柔軟性を有する樹脂材料により形成された補強部材３４が取り付けられており、その補強部材３４により外側チューブ１５の基端側が覆われた状態となっている。
【００４４】
内側チューブ１６は、外側チューブ１５よりも基端側に延出しており、その延出した部分が管孔２５ａの縮径部分２８に入り込んでいる。管孔２５ａにおいて縮径部分２８よりも基端側であってかつ当該管孔２５ａの基端を含む所定範囲は、当該基端に向かうにつれて孔径が大きくされた拡径部分２９となっている。この拡径部分２９では、その内周面が予め規格化された形状を有するテーパ面２９ａとなっている。
【００４５】
また、第１管部２５の基端部には、その外周面に環状の突出部３７が設けられている。その突出部３７にはおねじ部（図示略）が形成されている。
【００４６】
ハブ１２の第１管部２５には、その基端側に止血用コネクタ３０が接続されている。以下、この止血用コネクタ３０の構成について図３に基づいて説明する。なお、図３は、止血用コネクタ３０の構成を示しており、（ａ）が同構成を示す正面図、（ｂ）が軸線方向の一方側から見た図、（ｃ）が縦断面図、（ｄ）が分解縦断面図である。なお、図３（ｃ）及び（ｄ）はいずれも、図３（ｂ）のＡ−Ａ線断面図に相当する。
【００４７】
図３（ａ）〜（ｄ）に示すように、止血用コネクタ３０（以下、単にコネクタという）は、本体部３１と、止血弁３２と、キャップ部３３とを有する。本体部３１は、透明性又は半透明性を有する樹脂材料により形成されており、例えばポリカーボネートにより形成されている。本体部３１は、有底の円筒状に形成された筒状部３５と、その筒状部３５の底板部３５ａから筒状部３５の内側へ向けて延びる接続部３６とを有する。なお、本体部３１は、必ずしも透明性又は半透明性を有していなくてもよく、着色された樹脂材料により形成されていてもよい。
【００４８】
筒状部３５において接続部３６を囲む周壁部３８には、その内周面にめねじ部３９が形成されている。また、周壁部３８の外周面には、軸線方向に延びる複数のリブ４１が周方向に所定間隔（詳しくは等間隔）で形成されている。これらのリブ４１により、筒状部３５の強度が高められているとともに、筒状部３５を手に持ってコネクタ３０をハブ１２に接続する際手が滑ることが抑制されている。
【００４９】
筒状部３５の底板部３５ａは円板状に形成されている。この底板部３５ａには、軸線方向において接続部３６側とは反対側に突出する凸部４２が形成されている。この凸部４２は、底板部３５ａよりも外径の小さい円形状をなしており、その外周面に周方向全域に亘って延びる溝部４３が形成されている。
【００５０】
接続部３６は、筒状部３５と同軸に延びる円管状（円筒状）をなしており、その一部が筒状部３５よりも底板部３５ａとは反対側（換言すると止血弁３２とは反対側）に延出している。接続部３６には、その内部にガイドワイヤＧが挿通される挿通孔部４５が形成されている。挿通孔部４５は、接続部３６のみならず底板部３５ａにも跨がって延びており、接続部３６及び底板部３５ａ（換言すると本体部３１）を軸線方向に貫通している。なお、挿通孔部４５が案内通路部に相当する。
【００５１】
挿通孔部４５は、その孔径が、軸線方向において底板部３５ａ側（換言すると止血弁３２側）の端部から反底板部３５ａ側（換言すると反止血弁３２側）の端部へ向けて徐々に大きくなっている。換言すると、挿通孔部４５は、反止血弁３２側から止血弁３２側へ向けて徐々に縮径されたテーパ形状をなしている。これにより、挿通孔部４５における軸線方向両端の開口のうち、止血弁３２側の開口４５ａはその開口径（換言すると開口面積）が小さくなっているのに対して、反止血弁３２側の開口４５ｂはその開口径が大きくなっている。具体的には、開口４５ａの開口径はガイドワイヤＧの外径Ｄ２よりも若干大きい寸法に設定されており、例えば０．５ｍｍに設定されている。それに対して、開口４５ｂの開口径はガイドワイヤＧの外径Ｄ２よりも十分大きい寸法に設定されており、例えば３．４ｍｍに設定されている。
【００５２】
また、挿通孔部４５の内周面には、その反止血弁３２側の端部にＲ部５７（湾曲部）が形成されている。このＲ部５７は、反止血弁３２側に向かうにつれて挿通孔部４５の径方向外側に湾曲するように形成されている。このＲ部５７が形成されていることで接続部３６は、その反止血弁３２側の端部においてエッジ状をなしている（肉厚が極めて薄くなっている）。但し、反止血弁３２側の端部がエッジ状をなすのであれば、Ｒ部５７（湾曲部）に代えて直線状のテーパ部としてもよい。
【００５３】
なお、挿通孔部４５における止血弁３２側の端部には、一定の孔径（テーパの最小径）で形成された短い小径部４７が形成されている。
【００５４】
止血弁３２は、シリコンゴム等の弾性を有する材料により円板状に形成されている。止血弁３２は、底板部３５ａ（凸部４２）において接続部３６側とは反対側の面に設けられ、凸部４２に対して同軸に配置されている。止血弁３２には、その厚み方向に貫通する複数（本実施形態では３つ）のスリット４８が形成されている（図３（ｂ）参照）。これらのスリット４８はそれぞれ、止血弁３２の中心部から径方向外側へ向けて放射状に延びている。具体的には、各スリット４８は、後述するキャップ部３３の貫通孔部５４よりも径方向外側まで延びている。
【００５５】
止血弁３２の中心部は各スリット４８同士が互いに連通するスリット連通部４９となっている。なお、このスリット連通部４９が絞り通路部に相当する。スリット連通部４９は、本体部３１の挿通孔部４５（開口４５ａ）の軸線延長上に位置しており、開口４５ａを介して挿通孔部４５と連通している。また、各スリット４８は、通常状態（自然状態）では、対向するスリット内面同士が互いに当接又は近接している。
【００５６】
なお、放射状に形成されるスリット４８の個数は必ずしも３つに限ることなく、４つ以上であってもよい。
【００５７】
キャップ部３３は、円柱状をなしており、その軸線方向の一方側に開放された凹部５１を有している。キャップ部３３は、その凹部５１に止血弁３２を収容した状態で本体部３１の凸部４２に被せられている。キャップ部３３において凹部５１を囲む周壁部５２には、その内周面に周方向に延びる突出部５３が形成されている。この突出部５３は、凸部４２の溝部４３に入り込んで当該溝部４３と係合されており、その係合によってキャップ部３３が凸部４２ひいては本体部３１に取り付けられている。
【００５８】
キャップ部３３において凹部５１の底面を規定する底板部３３ａには、厚み方向に貫通する円形状の貫通孔部５４が形成されている。この貫通孔部５４により、止血弁３２の一部詳しくは止血弁３２において少なくともスリット連通部４９を含む一部がコネクタ３０外部に露出している。なお、この貫通孔部５４と止血弁３２のスリット４８（スリット連通部４９）と本体部３１の挿通孔部４５とにより本コネクタ３０の挿通通路５０が構成されている。
【００５９】
続いて、上記コネクタ３０のハブ１２に対する取付構成について図２を参照しながら説明する。
【００６０】
上述したように、コネクタ３０は、ハブ１２の第１管部２５に対して基端側から接続されている。コネクタ３０において本体部３１の接続部３６は第１管部２５の管孔２５ａ詳しくは拡径部分２９に基端側から挿入されており、その挿入状態において拡径部分２９の内周面（テーパ面２９ａ）に液密状態で嵌合されている。この嵌合によって、接続部３６が第１管部２５と接続されている。また、かかる接続状態において、本体部３１の筒状部３５は第１管部２５の外周側に位置し、そのめねじ部３９が第１管部２５の突出部３７のおねじ部に締結されている。これにより、本体部３１ひいてはコネクタ３０がハブ１２に対して取り付けられている。
【００６１】
なお、バルーンカテーテル１０と、そのハブ１２に取り付けられたコネクタ３０とによって「コネクタ付きカテーテル」が構成されている。
【００６２】
次に、上述したコネクタ３０の作用について説明する。以下においては、コネクタ３０をバルーンカテーテル１０のハブ１２に取り付けて同カテーテル１０を体内に導入する際における作用を説明する。なお、カテーテル１０の導入作業に際しては予めハブ１２にコネクタ３０を取り付けておく。また、上述したように、本実施形態（後述する第２の実施形態でも）では、ガイドワイヤＧとして、その外径Ｄ２が内側管孔１９の孔径Ｄ１に対して小さめのものを用いることとしている。
【００６３】
導入作業に際しては、先ず血管内に挿入されたシースイントロディーサにガイディングカテーテルを挿通し、ガイディングカテーテルの先端開口部を血管内における狭窄部位等の治療対象部位付近まで導入する。次いで、ガイドワイヤＧをガイディングカテーテル内に挿通し、その挿通したガイドワイヤＧを治療対象部位を越える位置まで導入する。
【００６４】
次に、体内に導入したガイドワイヤＧをバルーンカテーテル１０内に挿通する作業を行う。この作業では、ガイドワイヤＧを、内側チューブ１６の先端開口より内側管孔１９に導入し、それからハブ１２の管孔２５ａとコネクタ３０の挿通通路５０とを通じて基端側へと導出させる。これにより、ガイドワイヤＧがバルーンカテーテル１０に挿通される。なお、ガイドワイヤＧをバルーンカテーテル１０に挿通する際には、内側管孔１９に空気（エア）が存在しているため、コネクタ３０を一時的にハブ１２から取り外してエア抜きを行うことが望ましい。
【００６５】
ここで、ガイドワイヤＧをコネクタ３０の挿通通路５０に導入するにあたっては、まずガイドワイヤＧをハブ１２の管孔２５ａから本体部３１の挿通孔部４５へその端部開口４５ｂを介して導入する。この場合、挿通孔部４５は、端部開口４５ａ（基端開口）においてその開口径がガイドワイヤＧの外径寸法と同程度まで狭められているにもかかわらず、端部開口４５ｂ（先端開口）ではその開口径がガイドワイヤＧの外径寸法に対して十分大きなものとなっているため、ガイドワイヤＧを挿通孔部４５へ容易に導入することが可能となっている。
【００６６】
また、挿通孔部４５の内周面にはその先端部にＲ部５７が形成され、そのＲ部５７によって接続部３６の先端がエッジ状をなしているため、ガイドワイヤＧを挿通孔部４５に端部開口４５ｂを通じて導入する際に、ガイドワイヤＧが接続部３６の先端に引っ掛かってしまうことが抑制されている。そのため、この点においても、ガイドワイヤＧを挿通孔部４５へ導入し易くなっている。
【００６７】
その後、ガイドワイヤＧを挿通孔部４５において基端側（止血弁３２側）へと押し進め、端部開口４５ａを介して止血弁３２のスリット４８へと導入する。この際、挿通孔部４５は、その孔径が基端側へ向かうにつれて徐々に小さくなっているため、ガイドワイヤＧが基端側へ押し進められるとガイドワイヤＧは自ずとスリット連通部４９へ導かれる。これにより、ガイドワイヤＧを、局所的な部位であるスリット連通部４９へ容易に挿通させることが可能となっている。
【００６８】
ガイドワイヤＧがスリット４８に挿通された状態では、ガイドワイヤＧの外周面に止血弁３２のスリット内面が密接された状態となっている。詳しくは、止血弁３２の弾性力によってガイドワイヤＧの外周面にスリット内面が圧接された状態となっている。また、本実施形態では、ガイドワイヤＧがスリット連通部４９に挿通されるため、ガイドワイヤＧの外周面における広い範囲にスリット内面が密接された状態となっている。なお、ガイドワイヤＧがスリット連通部４９に挿通された状態では、同連通部４９の開口面積（通路断面積）が内側チューブ１６の内側管孔１９の通路断面積よりも小さくなっており、詳細にはガイドワイヤＧの横断面積よりも若干大きくなっている。
【００６９】
また、絞り通路部を上記のようなスリット構造としたことで、ガイドワイヤＧを絞り通路部（スリット４８）に押し込んで挿通させる際それ程大きな押し込み力を付与しなくてもよく、そのため、極細状であるが故にその強度も小さいことが想定されるガイドワイヤＧであっても、比較的容易に密着状態での挿通を実現することが可能となる。特に、本実施形態では、絞り通路部をスリット連通部４９により構成したため、ガイドワイヤＧの外周面が隣り合うスリット４８同士の境界部となるスリット角部にてスリット内面に密接される。このため、ガイドワイヤＧをスリット４８に押し込む際に発生するガイドワイヤＧの外周面とスリット内面との接触抵抗を極めて小さくすることができ、その結果ガイドワイヤＧをスリット４８に押し込む際の押し込み力を極めて小さくすることが可能となる。
【００７０】
次に、かかるガイドワイヤＧの挿通状態において、バルーンカテーテル１０をガイドワイヤＧに沿わせながらガイディングカテーテル内に導入し、押引操作を加えながら治療部位にバルーン１３を配置させる作業を行う。ここで、本実施形態では、ガイドワイヤＧとして、その外径Ｄ２が内側管孔１９の孔径Ｄ１に対して小さめのものが用いられていることから、ガイドワイヤＧの外周面と内側管孔１９の内周面との間に比較的大きな隙間が形成されている。そのため、バルーンカテーテル１０の導入に際し、その隙間を通じて基端側へ血液が流れ易くなっていると考えられ、ハブ１２の管孔２５ａを通じて血液が外部に漏れ出してしまうことが懸念される。
【００７１】
この点、上述したように、止血弁３２のスリット連通部４９では、ガイドワイヤＧの外周面における広い範囲にスリット内面が密接し、当該外周面とスリット内面との間の隙間が極めて小さいものとなっているため、内側管孔１９における上記隙間を通じて血液が流れ易くなっていても、その血液の流れをスリット連通部４９において抑制することができる。これにより、バルーンカテーテル１０の体内への導入に際し、血液漏れの抑制を図ることができる。
【００７２】
また、止血弁３２の弾性力によってガイドワイヤＧの外周面にスリット内面が圧接されているため、ガイドワイヤＧの外周面とスリット内面との密接部分において血液漏れを確実に防止することができる。これにより、止血性能の向上を図ることができる。
【００７３】
また、コネクタ３０の挿通通路５０において一部にのみスリット連通部４９（絞り通路部）を設け、それ以外の部分にスリット連通部４９よりも通路断面積が拡張された拡張通路部（具体的には本体部３１の挿通孔部４５）を設けたため、挿通通路５０の軸線方向全域を絞り通路部とする場合に比べて、バルーンカテーテル１０を体内へ導入する際におけるガイドワイヤＧの外周面と挿通通路５０の内周面との間の摺動抵抗を低減させることができる。これにより、バルーンカテーテル１０の導入作業をし易くすることができる。
【００７４】
バルーン１３を狭窄箇所に配置した後、加圧器を用いてハブ１２側から外側チューブ１５の外側管孔１８を介してバルーン１３に圧縮流体を供給する。これにより、バルーン１３が膨張し、その膨張したバルーン１３により狭窄箇所が拡張される。
【００７５】
〔第２の実施形態〕
本実施形態では、上記第１の実施形態とは止血用コネクタの構成が相違する。以下、本実施形態における止血用コネクタの構成について図４に基づいて説明する。図４は、本実施形態における止血用コネクタの構成を示しており、（ａ）が同構成を示す正面図、（ｂ）が軸線方向の一方側から見た図、（ｃ）が縦断面図である。なお、図４（ｃ）は図４（ｂ）のＢ−Ｂ線断面図に相当する。
【００７６】
止血用コネクタ６０（以下、単にコネクタという）は、透明性又は半透明性を有するゴム材料からなるボディ６１を有する。ボディ６１は、例えばシリコンゴムにより形成されている。但し、ボディ６１は、必ずしも透明性又は半透明性を有している必要はなく、着色されたゴム材料により形成されていてもよい。
【００７７】
ボディ６１は、図４（ａ）及び（ｂ）に示すように、全体として円柱状をなしており、具体的には軸線方向における一端側から他端側に向けて外径が徐々に小さくなるテーパ形状を有している。ここで、本明細書において、「円柱状」とは、厳密な意味での円柱状、すなわち軸線方向全域に亘って外径が一定である形状のみを指すものではなく、軸線方向における一部又は全部に同方向における一端側から他端側に向けて外径が徐々に小さくなる形状（つまるテーパ形状）を有するものを含む意味となっている。また、本ボディ６１は円錐状をなしていると言うこともできるが、本明細書において「円柱状」とはかかる「円錐状」をも含む概念となっている。
【００７８】
上記構成のボディ６１には、軸線方向の両端に互いに平行をなす平坦状の一対の端面部６２，６３が形成され、それら両端面部６２，６３の間に曲面状の側面部６４が形成されている。また、本実施形態では、ボディ６１の外径が、当該ボディ６１の軸線方向の中央位置でハブ１２（第１管部２５）の管孔２５ａ（詳しくは拡径部分２９）の基端開口２７における開口径と略同じ寸法となっている。
【００７９】
なお、以下の説明において、単に一端側という場合には、ボディ６１の軸線方向における外径の大きい端面部６２側のことをいい、他端側という場合には、外径の小さい端面部６３側のことをいう。なお、本コネクタ６０では、ボディ６１全体がテーパ部に相当する。
【００８０】
図４（ｃ）に示すように、ボディ６１には、ガイドワイヤＧが挿通される挿通孔部６５が形成されている。挿通孔部６５は、ボディ６１の中心部を軸線方向に貫通して延びており、各端面部６２，６３にてそれぞれ外部に開口されている。挿通孔部６５の各端部開口６５ａ，６５ｂのうち、端部開口６５ａが端面部６２にて開口され、端部開口６５ｂが端面部６３にて開口されている。なお、挿通孔部６５が挿通通路に相当する。
【００８１】
挿通孔部６５は、端部開口６５ａから他端側へ向けて孔径が徐々に小さくなるように形成された第１孔部６６と、第１孔部６６の他端から他端側へ向けて一定の孔径で形成された第２孔部６７と、第２孔部６７の他端から他端側へ向けて孔径が徐々に大きくなるように形成されているとともに端部開口６５ｂを含む第３孔部６８とを有している。第１孔部６６と第２孔部６７とは互いの通路断面が連続しており、第２孔部６７と第３孔部６８とは互いの通路断面が連続している。そのため、第１孔部６６と第２孔部６７との境界部、及び第２孔部６７と第３孔部６８との境界部ではいずれも挿通孔部６５の内周面に径方向への段差が生じていない。
【００８２】
なお、この場合、第１孔部６６が拡張通路部に相当し、第２孔部６７が絞り通路部に相当し、第３孔部６８が拡張通路部に相当する。
【００８３】
第１孔部６６と、第２孔部６７と、第３孔部６８とはいずれも同じ長さで形成されている。また、第１孔部６６と第３孔部６８とはいずれも同じテーパ形状を有している。したがって、挿通孔部６５は、その軸線方向における中心位置を基準として対称形状をなしている。但し、各孔部６６〜６８の長さは必ずしも同じとする必要はなく、互いに異ならせてもよい。また、第１孔部６６のテーパ形状（テーパ角度）と第３孔部６８のテーパ形状（テーパ角度）とを互いに異ならせてもよい。
【００８４】
第２孔部６７は、その孔径Ｄ３が内側チューブ１６の管孔１９の孔径Ｄ１よりも小さい寸法に設定されている。具体的には、第２孔部６７の孔径Ｄ３はガイドワイヤＧの外径Ｄ２よりも若干大きい寸法に設定されており、本実施形態では、その孔径Ｄ３が０．６ｍｍに設定されている。一方、第１孔部６６及び第３孔部６８の各端部開口６５ａ，６５ｂはその開口径がいずれもガイドワイヤＧの外径Ｄ２よりも十分大きい寸法に設定されている。本実施形態では、端部開口６５ａ，６５ｂの開口径が２．０ｍｍに設定されている。
【００８５】
ボディ６１には、側面部６４から挿通孔部６５の内周面にかけて切り込まれ、かつ、端面部６２から端面部６３にかけて切り込まれたスリット７１が形成されている。このスリット７１を介して挿通孔部６５がボディ６１側方に開放されている。なお、スリット７１が切り込み部に相当する。
【００８６】
続いて、上記コネクタ６０のハブ１２に対する取付構成について図５に基づいて説明する。図５は、止血用コネクタ６０がハブ１２に取り付けられた状態を示す縦断面図である。
【００８７】
図５に示すように、コネクタ６０は、ハブ１２の第１管部２５の基端側に接続されている。コネクタ６０は、その軸線方向における他端側すなわち外径が小さくなっている側を挿し込み先端として第１管部２５の管孔２５ａに基端側から挿し込まれている。具体的には、コネクタ６０は、その軸線方向における半分程度の長さ分が管孔２５ａに挿し込まれ、その挿し込みによって第１管部２５の基端部に接続されている（取り付けられている）。また、この挿し込み状態において、コネクタ６０の側面部６４と管孔２５ａ（詳しくは拡径部分２９）のテーパ面２９ａとは互いに密着しており、それによってそれら両面６４，２９ａ間を通じた管孔２５ａから基端側への血液漏れが防止されている。
【００８８】
コネクタ６０のかかる接続状態では、コネクタ６０の挿通孔部６５が、その端部開口６５ｂを介して第１管部２５の管孔２５ａと連通され、その端部開口６５ａを介して外部に開放されている。つまり、挿通孔部６５を介してハブ１２の管孔２５ａが外部に開放されている。なお、かかるコネクタ６０の接続状態では、挿通孔部６５の第２孔部６７が管孔２５ａの基端開口２７と軸線方向で同位置に位置している。
【００８９】
なお、バルーンカテーテル１０と、そのハブ１２に取り付けられたコネクタ６０とによって「コネクタ付きカテーテル」が構成されている。
【００９０】
次に、上述したコネクタ６０の作用について説明する。なお、以下においても、上記第１の実施形態と同様、コネクタ６０をバルーンカテーテル１０のハブ１２に取り付けて同カテーテル１０を体内に導入する際における作用を説明する。また、本実施形態では、バルーンカテーテル１０の導入に際し、まず同カテーテル１０にコネクタ６０を取り付けないでおく。
【００９１】
導入作業に際しては、先ず血管内に挿入されたシースイントロディーサにガイディングカテーテルを挿通し、次いで、ガイドワイヤＧをガイディングカテーテル内に挿通し、その挿通したガイドワイヤＧを治療対象部位を越える位置まで導入する。
【００９２】
次に、体内に導入したガイドワイヤＧをバルーンカテーテル１０内に挿通する。この場合、ガイドワイヤＧを、内側チューブ１６の先端開口より内側管孔１９に導入し、それからハブ１２の管孔２５ａを通じて基端側へ導出させる。これにより、ガイドワイヤＧがバルーンカテーテル１０に挿通される。
【００９３】
次に、バルーンカテーテル１０の基端側に導出されたガイドワイヤＧをコネクタ６０の挿通孔部６５に挿通させる作業を行う。この作業では、ガイドワイヤＧを、スリット７１を通じて挿通孔部６５に導入し挿通させる。この場合、ガイドワイヤＧを端部開口６５ｂから挿通孔部６５に導入する場合と比べ、ガイドワイヤＧを挿通孔部６５に容易に導入することができる。
【００９４】
次に、コネクタ６０をハブ１２の基端側に接続する作業を行う。この作業では、コネクタ６０（ボディ６１）の他端側（先細り側）をハブ１２の管孔２５ａに基端側から挿し込むことにより、コネクタ６０をハブ１２に対して接続する。この場合、コネクタ６０を管孔２５ａに挿し込むだけで接続することができるため、コネクタ６０のハブ１２への接続作業を速やかに行うことができる。
【００９５】
次に、コネクタ６０が接続されたバルーンカテーテル１０をガイドワイヤＧに沿って体内に導入する作業を行う。上述したように、本コネクタ６０では、挿通孔部６５の第２孔部６７の孔径Ｄ３が内側チューブ１６の内側管孔１９の孔径Ｄ１よりも小さくなっているため、第２孔部６７ではガイドワイヤＧの外周面と挿通孔部６５の内周面との隙間が極めて小さくなっている。そのため、バルーンカテーテル１０を体内に導入するに際し、血液がガイドワイヤＧの外周面と内側管孔１９の内周面との隙間を通じて基端側に流れ易くなっていても、その血液の流れを第２孔部６７において抑制することができる。これにより、バルーンカテーテル１０の体内への導入に際し、血液漏れの抑制を図ることができる。
【００９６】
また、挿通孔部６５において軸線方向の一部にのみ第２孔部６７（絞り通路部）を設け、それ以外の部分を第２孔部６７よりも孔径の大きい第１孔部６６及び第３孔部６８（拡張通路部）としたため、挿通孔部６５の軸線方向全域を絞り通路部とする場合に比べて、バルーンカテーテル１０を体内へ導入する際におけるガイドワイヤＧの外周面と挿通孔部６５の内周面との間の摺動抵抗を低減させることができる。これにより、バルーンカテーテル１０の導入作業をし易くすることができる。
【００９７】
〔他の実施形態〕
本発明は上記実施形態に限らず、例えば次のように実施されてもよい。
【００９８】
（１）上記第２の実施形態では、コネクタ６０（ボディ６１）にスリット７１を設けたが、スリット７１は必ずしも設ける必要はない。その場合でも、上記第１の実施形態と同様に、コネクタ６０の挿通孔部６５に端部開口６５ｂよりガイドワイヤＧを導入することができる。
【００９９】
この場合、挿通孔部６５において第２孔部６７（絞り通路部）の基端側（換言するとハブ１２側）に当該孔部６７よりも孔径の大きい第３孔部６８（拡張通路部）が設けられ、端部開口６５ｂの開口径がガイドワイヤＧの外径Ｄ２に対して十分大きい寸法に設定されているため、端部開口６５ｂよりガイドワイヤＧを挿通孔部６５へ導入する作業を比較的容易に行うことができる。
【０１００】
また、第３孔部６８は、その孔径がハブ１２側（先端側）から第２孔部６７側（基端側）に向かうにつれて徐々に小さくなるテーパ形状を有しているため、ガイドワイヤＧを第３孔部６８から第２孔部６７へ向けて押し進めていく際、ガイドワイヤＧを第２孔部６７へ容易に導くことができる。
【０１０１】
さらに、第２孔部６７と第３孔部６８とは、互いの通路断面が両孔部６７，６８の境界部において連続しているため、当該境界部において挿通孔部６５の内周面に径方向への段差が生じていない。このため、ガイドワイヤＧを第３孔部６８から第２孔部６７へ導入する際に、ガイドワイヤＧがかかる段差に引っ掛かって導入しづらくなるといった不都合を生じにくくすることができる。なお、この場合、第３孔部６８がテーパ通路部に相当する。
【０１０２】
ちなみに、コネクタ６０にスリット７１が設けられた上記第２の実施形態において、ガイドワイヤＧをコネクタ６０の挿通孔部６５に端部開口６５ｂを通じて導入するようにしてもよい。その場合にも、上述した各効果を得ることができる。
【０１０３】
（２）上記第１の実施形態では、止血弁３２に形成された複数のスリット４８におけるスリット連通部４９を絞り通路部としたが、スリット連通部４９以外の部位例えばスリット４８の（長さ方向の）中間部分を絞り通路部としてもよい。この場合にも、スリット４８にガイドワイヤＧを挿通した状態で、ガイドワイヤＧの外周面にスリット内面を密着させるようにすることで、ガイドワイヤＧの挿通状態における止血性能を高めることができる。また、このようなスリット構造であれば、ガイドワイヤＧをスリット４８（絞り通路部）に押し込んで挿通させる際それ程大きな押し込み力を付与しなくても、スリット４８を押し拡げて挿通することができるため、極細状であるが故にその強度も小さいことが想定されるガイドワイヤＧであっても、比較的容易に密着状態での挿通を実現することができる。
【０１０４】
（３）止血弁３２に形成されるスリット４８の構成は必ずしも上記第１の実施形態に記載されたものに限定されない。例えば図６（ａ）に示すように、各スリット７３を、止血弁３２の中心部付近にて短い長さ（例えば挿通孔部４５の開口４５ａの開口径の半分程度の長さ）で形成してもよい。この場合にも、止血弁３２の中心部に各スリット７３が互いに連通するスリット連通部７４が形成されている。また、図６（ｂ）に示すように、スリット７５を一文字に形成してもよい。図６（ｂ）では、一文字のスリット７５が止血弁３２の中心部付近に短い長さ（例えば挿通孔部４５の開口４５ａの開口径と略同じ長さ）で形成されている。
【０１０５】
これら図６（ａ）及び（ｂ）の場合にも、ガイドワイヤＧがスリット７３，７５に挿通された状態でガイドワイヤＧの外周面にスリット内面が密着されるため、ガイドワイヤＧの挿通状態における止血性能を高めることができる。また、ガイドワイヤＧを絞り通路部（すなわちスリット７３，７５）に押し込んで挿通させる際それ程大きな押し込み力を付与しなくてもよいため、極細状であるが故にその強度も小さいことが想定されるガイドワイヤＧであっても、比較的容易に密着状態での挿通を実現することが可能となる。
【０１０６】
（４）上記第２の実施形態では、コネクタ６０全体をテーパ形状に形成したが、コネクタ６０の軸線方向の一部だけをテーパ形状に形成してもよい。例えば、コネクタにおいて軸線方向の一端を含む一部分だけを当該一端に向けて先細りしたテーパ形状とし、それ以外の部分を円柱形状（詳細には、厳密な意味での円柱形状）とすることが考えられる。その場合でも、コネクタのテーパ部分をハブ１２の管孔２５ａに挿し込むだけで接続ができるため、コネクタのハブ１２への接続を速やかに行うことができる。
【０１０７】
（５）上記第２の実施形態では、拡張通路部としての第１孔部６６及び第３孔部６８をそれぞれテーパ形状に形成したが、それら各孔部６６，６８のうち少なくともいずれか一方を非テーパ形状としてもよい。すなわち、各孔部６６，６８のうち少なくともいずれか一方を第２孔部６７の孔径Ｄ３よりも大きい一定の孔径で形成してもよい。
【０１０８】
また、上記第２の実施形態では、第１孔部６６及び第３孔部６８をそれぞれ拡張通路部としたが、それら各孔部６６，６８のうちいずれか一方を第２孔部６７と連続する絞り通路部としてもよい。その場合であっても、挿通孔部６５の軸線方向全域を絞り通路部とする場合と比べ、ガイドワイヤＧの外周面と挿通孔部６５の内周面との間の摺動抵抗を低減させることができる。なお、挿通孔部６５の軸線方向全域を絞り通路部としてもよい。
【０１０９】
（６）上記第２の実施形態では、第２孔部６７の孔径Ｄ３をガイドワイヤＧの外径Ｄ２よりも若干大きい寸法に設定したが、第２孔部６７の孔径Ｄ３をガイドワイヤＧの外径Ｄ２と同じ寸法か又はそれよりも小さい寸法に設定してもよい。例えば、第２孔部６７の孔径Ｄ３をガイドワイヤＧの外径Ｄ２よりも小さい寸法に設定すれば、ガイドワイヤＧの外周面と第２孔部６７の内周面との間に隙間を生じないようにすることができるため、第２孔部６７において基端側へ向けた血液の流れを防止することができる。そのため、ガイドワイヤＧに沿ってバルーンカテーテル１０を体内へ導入する際における血液漏れの防止を図ることが可能となる。
【０１１０】
（７）上記第２の実施形態では、ボディ６１が弾性を有するゴム材料により形成されているため、ボディ６１をハブ１２に対して接続する際、ボディ６１のハブ１２の管孔２５ａへの挿し込み量（押し込み量）を調整することで、ボディ６１の径方向への圧縮量を調整することができ、ひいては第２孔部６７の孔径Ｄ３を大小調整することが可能となる。そこで、この点に着目し、ボディ６１（テーパ部）の管孔２５ａへの挿し込み量を調整することで、第２孔部６７の孔径Ｄ３を大小調整するようにしてもよい。具体的には、ボディ６１の管孔２５ａへの挿し込み量（押し込み量）を大きくすることで第２孔部６７の孔径Ｄ３を小さくし、ボディ６１の管孔２５ａへの挿し込み量（押し込み量）を小さくすることで第２孔部６７の孔径Ｄ３を大きくする。
【０１１１】
この場合、第２孔部６７の孔径Ｄ３を小さくすることで、ガイドワイヤＧの外周面と第２孔部６７の内周面との隙間を小さくすることができる又は当該隙間をなくすことができるため、止血性能を高めることができる。また、第２孔部６７の孔径Ｄ３を大きくすることで、ガイドワイヤＧの外周面と第２孔部６７の内周面との摺動抵抗を低減させることができるため、バルーンカテーテル１０の体内への導入作業をし易くすることができる。よって、この場合、カテーテル導入時における止血性能と作業性（操作性）とのバランスを図ることが可能となる等、その導入作業をより好適に行うことが可能となる。
【０１１２】
なお、上記の構成を採用する場合、管孔２５ａへのボディ６１の挿し込み量が、予め定められた所定の調整範囲におけるいずれの量に設定された場合にも、第２孔部６７が管孔２５ａの基端開口２７と軸線方向で同位置を含むように形成されていることが望ましい。
【０１１３】
（８）上記各実施形態ではいずれも、コネクタ３０，６０のゴム部分に絞り通路部（具体的にはスリット連通部４９、第２孔部６７）を形成したが、絞り通路部は必ずしもゴム部分に形成する必要はない。例えば、上記第１の実施形態において、止血弁３２を不具備とし、合成樹脂製からなる本体部３１の挿通孔部４５の一部に絞り通路部を形成することが考えられる。具体的には、挿通孔部４５の一部（例えば小径部４７）の孔径を、内側管孔１９の孔径Ｄ１よりも小さい寸法に設定することで絞り通路部を形成する。この場合にも、絞り通路部においてガイドワイヤＧの外周面と挿通孔部４５の内周面との隙間を極めて小さくすることができるため、当該通路部において血液の流れを抑制することができ、血液漏れの抑制を図ることができる。
【０１１４】
（９）上記各実施形態では、０．０３５インチのガイドワイヤＧに適合するバルーンカテーテル１０に本発明のコネクタ３０，６０を取り付けて、同カテーテル１０を０．０１４インチ又は０．０１８インチのガイドワイヤＧを用いて体内に導入した。この場合、コネクタ３０，６０を販売する際の販売形態を考えると、コネクタ３０，６０を単品で販売することに加えて、コネクタ３０，６０とバルーンカテーテル１０（０．０３５インチガイドワイヤＧ適合品）とをセットにした状態（組み合わせた状態）での販売、コネクタ３０，６０とガイドワイヤＧ（０．０１４インチ品又は０．０１８インチ品）とをセットにした状態での販売が考えられる。また、コネクタ３０，６０、バルーンカテーテル１０（０．０３５インチガイドワイヤＧ適合品）及びガイドワイヤＧ（０．０１４インチ品又は０．０１８インチ品）をセットにした状態で販売してもよい。
【０１１５】
また、コネクタ３０，６０とバルーンカテーテル１０とをセットで販売する際には、バルーンカテーテル１０のハブ１２の基端側にコネクタ３０，６０を接続した状態（コネクタ付きカテーテルの状態）で販売してもよいし、ハブ１２の基端側にコネクタ３０，６０を接続しないでバルーンカテーテル１０とコネクタ３０，６０とをばらばらにした状態（コネクタカテーテルキットの状態）で販売してもよい。
【０１１６】
（１０）上記各実施形態では、本発明の止血用コネクタをバルーンカテーテルに接続して用いた場合を説明したが、本発明の止血用コネクタを吸引カテーテル等、他のカテーテルに接続して用いることもできる。要するに、ガイドワイヤＧをカテーテル基端側から導出するオーバーザワイヤ型のカテーテルであれば、本発明の止血用コネクタを用いることができる。
【符号の説明】
【０１１７】
１０…カテーテルとしてのバルーンカテーテル、１２…ハブ、１９…ガイドワイヤルーメンとしての内側管孔、２５ａ…ハブ内通路としての管孔、３０…止血用コネクタ、３１…本体部、３２…止血弁、４５…拡張通路部、本体通路部及び案内通路部としての挿通孔部、４８…スリット、４９…絞り通路部としてのスリット連通部、５０…挿通通路、６０…止血用コネクタ、６１…ボディ、６５…挿通通路としての挿通孔部、６６…拡張通路部としての第１孔部、６７…絞り通路部としての第２孔部、６８…拡張通路部としての第３孔部、７１…切り込み部としてのスリット、Ｇ…ガイドワイヤ。
【図１】
2015023987.tif 000003
【図２】
2015023987.tif 000004
【図３】
2015023987.tif 000005
【図４】
2015023987.tif 000006
【図５】
2015023987.tif 000007
【図６】
2015023987.tif 000008